(57)【要約】  アミノアルコール溶媒及び香料配合物を含むアルカリ性組成物であって、該香料配合物が、エステル官能基、α，β−不飽和アルデヒド官能基、及び／又はα，β−不飽和ケトン官能基を含む香料原材料を、香料原材料の重量あたり最大で４０％含む、アルカリ性組成物。【特許請求の範囲】
【請求項１】
アミノアルコール溶媒及び香料配合物を含むアルカリ性組成物であって、
前記香料配合物が、エステル官能基、α，β−不飽和アルデヒド官能基、及び／又はα，β−不飽和ケトン官能基を含む香料原材料を、香料原材料の重量あたり最大で４０重量％含む、アルカリ性組成物。
【請求項２】
前記香料配合物が、エステル官能基、α，β−不飽和アルデヒド官能基、及び／又はα，β−不飽和ケトン官能基を含む香料原材料を、香料原材料の重量あたり最大で２０重量％含む、請求項１に記載のアルカリ性組成物。
【請求項３】
前記組成物が、液体水性組成物である、請求項１又は２に記載の組成物。
【請求項４】
前記組成物が、７．５〜１３、好ましくは８〜１２のｐＨを有する、請求項１〜３のいずれか一項に記載の組成物。
【請求項５】
前記アミノアルコール溶媒が、モノエタノールアミンを含む、請求項１〜４のいずれか一項に記載の組成物。
【請求項６】
少なくとも０．２重量％又は１０重量％のモノエタノールアミンを含む、請求項１〜５のいずれか一項に記載の組成物。
【請求項７】
洗濯洗浄組成物、硬質面クリーナ組成物、又は染毛剤組成物である、請求項１〜６のいずれか一項に記載の組成物。
【発明の詳細な説明】
【技術分野】
【０００１】
本出願は、改善された安定性を有するアミノアルコール溶媒を含むアルカリ性組成物に関する。
【背景技術】
【０００２】
アミノアルコール溶媒、特にモノエタノールアミン（ＭＥＡ）は、典型的には、染毛剤、洗濯洗浄組成物、又は硬質面洗浄組成物などの多くの用途に使用される。
【発明の概要】
【発明が解決しようとする課題】
【０００３】
これらの組成物の安定性は、組成物がアルカリ性であり、時折高いｐＨを有し、典型的には香料配合物を含み、かつ漂白剤などの高反応性成分を更に含み得るため、難しい課題である。
【０００４】
本発明者らは、特定の香料配合物を選択することによって、アミノアルコールを含むアルカリ性組成物における安定性の問題が解決され得ることを発見した。
【課題を解決するための手段】
【０００５】
本出願は、アミノアルコール溶媒及び香料配合物を含むアルカリ性組成物に関し、該香料配合物は、エステル官能基、α，β−不飽和アルデヒド官能基、及び／又はα，β−不飽和ケトン官能基を含む香料原材料を、香料原材料の重量あたり最大で４０％含む。
【０００６】
本発明によるアルカリ性組成物は、改善された安定性を有する。
【発明を実施するための形態】
【０００７】
組成物
本組成物は、アルカリ性である。本組成物は、７．２〜１４、又は７．５〜１３．５、又は８〜１３、又は８．５〜１２．５、又は９〜１２、又は９．５〜１１．５、又は１０〜１１のｐＨを有し得る。
【０００８】
本組成物は、液体組成物であり得る。
【０００９】
本組成物は、１〜１０００ｓ-1の剪断速度ランプ手順により、２°４０ｍｍ直径の円錐／平板型を使用するＤＨＲ１レオメーター（ＴＡ  ｉｎｓｔｒｕｍｅｎｔｓ）で測定されたときに、２０℃で、剪断速度１０ｓ-1で、１ｍＰａ．ｓ以上、より好ましくは１〜２０．０００ｍＰａ．ｓ、又は１．５〜１０００ｍＰａ．ｓ、又は２〜３００ｍＰａ．ｓ、又は２．５〜１００ｍＰａ．ｓの粘度を有し得る。
【００１０】
本組成物は、典型的には、水性組成物であり、故に水を含む。本組成物は、５０重量％〜９８重量％、又は７５重量％〜９７重量％、又は８０重量％〜９７重量％の水を含み得る。
【００１１】
本組成物は、洗濯組成物、例えば、水溶性単位用量パウチ中の洗濯組成物若しくはプラスチックボトル中の液体洗濯組成物であるか、又は本組成物は染毛剤組成物であるか、又は本組成物は硬質面クリーナ組成物であり得る。
【００１２】
アミノアルコール溶媒
本組成物は、アミノアルコール溶媒を含む。
【００１３】
アミノアルコールは、モノエタノールアミン、モノイソプロパノールアミン、及びこれらの混合物を含んでもよく、最も好ましくは、該アミノアルコールは、モノエタノールアミン（ＭＥＡ）を含む。
【００１４】
本組成物は、アミノアルコール溶媒を、アミノアルコール溶媒の重量あたり０．０２％〜３０％含み得、例えば、アミノアルコール溶媒を、アミノアルコール溶媒の重量あたり０．０５％〜２０％、又は０．１％〜１０％、又は０．２〜５含み得る。
【００１５】
本発明者らは、本発明の香料の選択がＭＥＡなどのアミノアルコール溶媒の存在下で更により重要であったことを発見した。
【００１６】
本組成物は、モノエタノールアミン（ＭＥＡ）を、ＭＥＡの重量あたり０．０２％〜３０％含み得、例えば、ＭＥＡを、ＭＥＡの重量あたり０．０５％〜２０％、又は０．１％１０％、又は０．２％〜５％含み得る。
【００１７】
香料配合物
本組成物は、香料配合物を含む。香料配合物は、芳香性天然油及び芳香性化学物質などの着臭剤香料原材料の混合物であり、これらが一緒になって、いくつかの効果をもたらす複雑な香りを形成する。これらの効果は、製品の基材臭気を遮蔽すること、製品自体に香りを移すこと、及び処理後に表面から放出する香りを空気中に残すことを含み得る。本組成物が噴霧される場合、この効果は、本組成物を表面に噴霧したときに空気中に香りを送達すること、及び本組成物で表面上を拭いている間に香りを空気中に送達することも含み得る。香料配合物は、少なくとも３、少なくとも５、少なくとも７、少なくとも１１、又は少なくとも１５の香料原材料を含み得る。
【００１８】
香料配合物の香料原材料は、α，β−不飽和アルデヒド官能基、α，β−不飽和ケトン官能基、及び／又はエステル官能基を含む香料原材料を、香料原材料の重量あたり最大で４０％、又は最大で３０％、例えば、０％〜２０％、又は０．０１％〜１０％、又は０．０２％〜５％含む。
【００１９】
本発明の目的のために、芳香族環がアルデヒド又はケトン基に隣接する場合の芳香族アルデヒド／ケトン（例えば、アニスアルデヒド又はメチルβ−ナフチルケトン）は、α，β−不飽和アルデヒド／ケトンと見なされる。
【００２０】
香料配合物の香料原材料は、酢酸ベンジル、サリチル酸メチル、グリコール酸アリルアミル、プロピオン酸ベンジル、ポマローズ、ジヒドロジャスモン酸メチル、ヘリオトロピン、アニスアルデヒド、δダマスコン、酪酸アミル、イソ酪酸イソアミル、ｂ−イオノン、カルボン、イソブタン酸イソブチル、メチルｂ−ナフチルケトン、酪酸シトロネリル、ミリスチン酸イソプロピルから選択される香料原材料を、香料原材料の重量あたり最大で５０％、又は最大で４０％、又は最大で３０％、例えば、０％〜２０％、又は０．０１％〜１０％、又は０．０２％〜５％含み得る。
【００２１】
本発明者らは、α，β−不飽和アルデヒド官能基、α，β−不飽和ケトン官能基、及び／又はエステル官能基を含む香料原材料の割合を制限することによって本組成物の安定性が改善されたことを発見した。
【００２２】
香料配合物の香料原材料は、α，β−飽和アルデヒド官能基、α，β−飽和ケトン官能基、アルコール官能基、エーテル官能基、ニトリル官能基を含み、かつ／又はテルペンである香料原材料を、香料原材料の重量あたり少なくとも２０％、特に、重量あたり少なくとも３０％、又は少なくとも４０％、又は少なくとも５０％、又は少なくとも６０％、又は少なくとも７０％、例えば、８０％〜１００％、又は９０％〜９９．９％含み得る。
【００２３】
本発明の目的のために、α，β−飽和アルデヒド官能基は、α又はβ位に不飽和を含まないアルデヒド官能基である。
【００２４】
本発明の目的のために、α，β−飽和ケトン官能基は、α又はβ位に不飽和を含まないケトン官能基である。
【００２５】
香料配合物の香料原材料は、α，β−不飽和アルデヒド官能基、α，β−不飽和ケトン官能基、及び／又はエステル官能基を含まない香料原材料を、香料原材料の重量あたり少なくとも２０％、特に、重量あたり少なくとも３０％、又は少なくとも４０％、又は少なくとも５０％、又は少なくとも６０％、又は少なくとも７０％、例えば、８０％〜１００％、又９０％〜９９．９％含み得る。
【００２６】
香料配合物の香料原材料は、α，β−飽和アルデヒド官能基、α，β−飽和ケトン官能基、アルコール官能基、エーテル官能基、ニトリル官能基を含み、かつ／又はテルペンであり、かつα，β−不飽和アルデヒド官能基、α，β−不飽和ケトン官能基、及び／又はエステル官能基を含まない香料原材料を、香料原材料の重量あたり少なくとも２０％、特に、重量あたり少なくとも３０％、又は少なくとも４０％、又は少なくとも５０％、又は少なくとも６０％、又は少なくとも７０％、例えば、８０％〜１００％、又は９０％〜９９．９％含み得る。
【００２７】
香料配合物の香料原材料は、ｄ−ムセノン１、アンブロックス、ポリサントール、フェニルエチルジメチルカルビノール、ヒドロキシシトロネラール、ウンデカベルトール、シトロネロール、リナル０オール、ｐ−クレシルメチルエーテル、シス−３−ヘキセノール、クローナル、リモネン、トバカロール２、トバカロール３、トバカロール１、ｂ−ナフチルメチルエーテルから選択される香料原材料を、香料原材料の重量あたり少なくとも２０％、特に、重量あたり少なくとも３０％、又は少なくとも４０％、又は少なくとも５０％、又は少なくとも６０％、又は少なくとも７０％、例えば、８０％〜１００％、９０％〜９９．９％含み得る。
【００２８】
香料配合物は、１つ又は２つ以上の香料送達系に含まれてもよい。香料送達系は、純香料、香料マイクロカプセル、プロ香料、ポリマー粒子、官能化シリコーン、ポリマー支援型送達、分子支援型送達、ファイバ支援型送達、アミン支援型送達、シクロデキストリン、デンプン封入アコード、ゼオライト、及び無機担体、並びにこれらの混合物を含み得る。香料送達系のうちの１つ又は２つ以上は、上に定義されるように、本発明の好ましい香料原材料を含み得る。香料送達技術、ある特定の香料送達技術の製造方法、及びそのような香料送達技術の使用は、米国特許出願公開第２００７／０２７５８６６  Ａ１号、同第２００４／０１１０６４８  Ａ１号、同第２００４／００９２４１４  Ａ１号、同第２００４／００９１４４５  Ａ１号、同第２００４／００８７４７６  Ａ１号、米国特許６  ５３１  ４４４号、同第６  ０２４  ９４３号、同第６  ０４２  ７９２号、同第６  ０５１  ５４０号、同第４  ５４０  ７２１号、及び同第４  ９７３  ４２２号に開示されている。
【００２９】
香料配合物がα，β−不飽和ケトン官能基、α，β−不飽和アルデヒド官能基、及び／又はエステル官能基を含む香料原材料を含む場合、好ましくは、これらの香料原材料は純香料の一部ではない。
【００３０】
本組成物は、０．０１重量％〜１５重量％、又は０．０５〜１０重量％、又は更には０．１〜５重量％、又は０．２〜２重量％の香料配合物を含み得る。
【００３１】
補助剤材料
本発明の目的のために、以下に例示される補助剤の非限定的なリストは、本明細書に詳述される組成物（例えば、消費者製品、染毛組成物、洗浄及び／若しくは処理組成物、布地及び硬質表面用の洗浄及び／若しくは処理組成物、洗剤、並びに／又は超コンパクト化洗剤）における使用に好適である。そのような補助剤材料は、例えば、本組成物の性能を支援若しくは強化するために、洗浄される基材を処理するために、又は香料、着色剤、染料などを用いる場合のように組成物の美観を修正するために、本組成物のある特定の実施形態に組み込まれ得ることが望ましい。これらの追加成分の正確な性質及びそれらを組み込む濃度は、本組成物の物理形態及び使用される作業の性質に依存する。
【００３２】
好適な補助剤材料としては、界面活性剤、ビルダー、キレート剤、移染防止剤、分散剤、酵素及び酵素安定剤、触媒材料、漂白活性化剤、ポリマー系分散剤、粘土質土壌除去／再付着防止剤、増白剤、泡抑制剤、染料、追加的な香料及び香料送達系、構造弾性化剤、布地柔軟剤、担体、ヒドロトロープ、加工助剤及び／又は顔料、金属塩、構造化剤又は結合剤、歯石予防薬、齲歯予防薬、研磨材、充填材、湿潤剤、口臭防止剤（breath agents）、フレーバー、抗菌剤、酸化毛髪染料、ヘアコンディショニング材料、追加的な溶媒、並びにアルカリ化薬が挙げられるが、これらに限定されない。以下の開示に加えて、そのような他の補助剤の好適な例及び使用濃度は、米国特許第６，３２６，３４８  Ｂ１号で見つけられる。
【００３３】
各補助成分は、本組成物にとって必須ではない。したがって、本組成物は、次の補助剤材料：漂白剤活性化剤、界面活性剤、ビルダー、キレート剤、移染防止剤、分散剤、酵素及び酵素安定剤、触媒金属錯体、ポリマー系分散剤、粘土質土壌除去／再付着防止剤、増白剤、泡抑制剤、染料、追加的な香料及び香料送達系、構造弾性化剤、布地柔軟剤、担体、ヒドロトロープ、加工助剤及び／又は顔料、金属塩、構造化剤又は結合剤、歯石予防薬、齲歯予防薬、研磨材、充填材、湿潤剤、口臭防止剤、フレーバー、抗菌剤のうちの１つ又は２つ以上を含有しなくてもよい。しかしながら、１つ又は２つ以上の補助剤が存在する場合、そのような補助剤は、以下に詳細に記載されるように存在し得る。
界面活性剤−本発明による組成物は、界面活性剤又は界面活性剤系を含んでもよく、この界面活性剤は、非イオン性及び／若しくはアニオン性及び／若しくはカチオン性界面活性剤、並びに／又は両性及び／若しくは双性イオン性及び／若しくは半極性非イオン性界面活性剤から選択され得る。界面活性剤は、典型的には、本組成物の約０．１重量％から、約１重量％から、又は更には約５重量％から、組成物の約９９．９重量％まで、約８０重量％まで、約３５重量％まで、又は更には約３０重量％までの濃度で存在する。
【００３４】
ビルダー−本発明の組成物は、１つ又は２つ以上の洗剤ビルダー又はビルダー系を含み得る。存在する場合、本組成物は、典型的には、少なくとも約１重量％のビルダー、又は約５重量％又は１０重量％〜約８０重量％、５０重量％、又は更には３０重量％の該ビルダーを含む。ビルダーとしては、ポリホスフェートのアルカリ金属、アンモニウム及びアルカノールアンモニウム塩、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチル−オキシコハク酸、ポリ酢酸の様々なアルカリ金属、アンモニウム及び置換アンモニウム塩（例えば、エチレンジアミン四酢酸及びニトリロ三酢酸）、並びにポリカルボキシレート（例えば、メリト酸、コハク酸、オキシジコハク酸、ポリマレイン酸、ベンゼン１，３，５−トリカルボン酸、カルボキシメチルオキシコハク酸、及びこれらの可溶性塩）が挙げられるが、これらに限定されない。
【００３５】
キレート剤−本明細書の組成物は、１つ又は２つ以上の銅、鉄、及び／又はマンガンキレート剤も任意に含有してもよい。使用される場合、キレート化剤は、一般に、本明細書の組成物の約０．１重量％〜約１５重量％、又は更には本明細書の組成物の約３．０重量％〜約１５重量％を構成する。
【００３６】
移染防止剤−本発明の組成物は、１つ又は２つ以上の移染防止剤を含んでもよい。好適なポリマー性移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール、又はこれらの混合物が挙げられるが、これらに限定されない。本明細書の組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００３７】
分散剤−本発明の組成物は、分散剤も含有し得る。好適な水溶性有機材料は、ホモポリマー若しくはコポリマーの酸又はこれらの塩であり、そのうち、ポリカルボン酸は、互いに炭素原子２個以下しか離れていない少なくとも２個のカルボキシルラジカルを含み得る。
【００３８】
酵素−本組成物は、洗浄性能効果及び／又は布地ケア効果を提供する１つ又は２つ以上の洗剤酵素を含んでもよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びアミラーゼ又はこれらの混合物が挙げられるが、これらに限定されない。典型的な組み合わせは、プロテアーゼ、リパーゼ、クチナーゼ及び／又はセルラーゼのような従来の適用可能な酵素をアミラーゼと組み合わせたカクテルである。
【００３９】
酵素安定剤−組成物、例えば洗剤に使用するための酵素は、様々な技術によって安定化させることができる。本明細書で用いられる酵素は、カルシウムイオン及び／又はマグネシウムイオンを酵素に供給する、カルシウム及び／又はマグネシウムイオンの水溶性源を最終組成物中に存在させることによって安定化させることができる。
【００４０】
触媒金属錯体−本出願人らの組成物は、触媒金属錯体を含んでもよい。金属含有漂白触媒の１種には、銅、鉄、チタン、ルテニウム、タングステン、モリブデン、又はマンガンのカチオンのような、規定された漂白触媒活性の遷移金属カチオン、亜鉛又はアルミニウムのカチオンのような、漂白触媒活性を殆ど又は全く有さない補助金属カチオン、並びに触媒金属及び補助金属のカチオンに対して規定された安定度定数を有する金属イオン封鎖剤（sequestrate）、特にエチレンジアミン四酢酸、エチレンジアミンテトラ（メチレンホスホン酸）及びこれらの水溶性塩を含む触媒系がある。そのような触媒は、米国特許第４，４３０，２４３号に開示されている。
【００４１】
所望の場合、本明細書における組成物は、マンガン化合物によって触媒され得る。そのような化合物及び使用濃度は、当技術分野において周知であり、例えば、米国特許第５，５７６，２８２号に開示されているマンガン系触媒が挙げられる。本明細書において有用なコバルト漂白触媒が公知であり、例えば、米国特許第５，５９７，９３６号に記載されている。
【００４２】
本明細書の組成物は、「ＭＲＬ」と略される大環状剛性配位子の遷移金属錯体も好適に含んでもよい。実際問題であって、限定目的ではないが、本明細書における組成物及び洗浄プロセスは、少なくともおよそ１憶分の１部の有益剤ＭＲＬ種を水性洗浄媒体中に供給するように調整されてもよく、約０．００５ｐｐｍ〜約２５ｐｐｍ、約０．０５ｐｐｍ〜約１０ｐｍ、更には約０．１ｐｐｍ〜約５ｐｐｍのＭＲＬが洗浄溶液中に供給され得る。本遷移金属漂白剤触媒中の好適な遷移金属としては、マンガン、鉄、及びクロムが挙げられる。本明細書における好適なＭＲＬとしては、５，１２−ジエチル−１，５，８，１２−テトラアザビシクロ［６．６．２］ヘキサデカンのような特定の種類の超剛性の架橋配位子がある。好適な遷移金属ＭＲＬは、既知の手順、例えば米国特許第６，２２５，４６４号に教示されているような手順によって容易に調製される。
【００４３】
毛髪染料
本組成物は、当該技術分野において既知のものから選択され得る毛髪染料（例えば酸化染料前駆体）を含有してもよく、毛髪染料による着色は、酸化剤（例えば、過酸化水素）の作用により、又は大気酸素の存在下で（必要に応じて、好適な酵素系の添加により）もたらされる。毛髪染料は、酸化染料前駆体、直接染料、又はこれらの混合物であり得る。
【００４４】
本組成物は、一次中間体又はカップラーの形態で酸化染料前駆体を含んでもよい。染毛剤組成物における使用に好適な化合物（任意に添加されるものを含む）は、それらが塩基である限り、遊離塩基として、又は、例えば、塩酸、臭化水素酸、クエン酸、酢酸、乳酸、コハク酸、酒石酸、若しくは硫酸などの、それらの生理学的に適合性のある有機酸塩若しくは無機酸塩の形態で使用されてもよく、あるいは、それらが芳香族ヒドロキシル基を有する限り、塩基塩、例えばアルカリフェノレートの形態で使用されてもよい。
【００４５】
これらの化合物は、当該技術分野において周知であり、芳香族ジアミン類、アミノフェノール類、芳香族ジオール類、及びこれらの誘導体が挙げられる（酸化染料前駆体の代表的ではあるが非包括的なリストは、Ｓａｇａｒｉｎ，「Ｃｏｓｍｅｔｉｃ  Ｓｃｉｅｎｃｅ  ａｎｄ  Ｔｅｃｈｎｏｌｏｇｙ」，Ｉｎｔｅｒｓｃｉｅｎｃｅ，Ｓｐｅｃｉａｌ  Ｅｄｎ．第２巻、３０８〜３１０ページで見つけることができる）。以下に詳述される前駆体は、ほんの一例であり、本明細書における組成物及びプロセスを限定するようには意図されていないことを理解されたい。これらは、１，７−ジヒドロキシナフタレン（１，７−ナフタレンジオール）、１，３−ジアミノベンゼン（ｍ−フェニレンジアミン）、ｌ−メチル−２，５−ジアミノベンゼン（トルエン−２，５−ジアミン）、１，３−ジアミノベンゼン（ｍ−フェニレンジアミン）、１，３−ジヒドロキシベンゼン（レゾルシノール）、１，３−ジヒドロキシ−４−クロロベンゼン（４−クロロレゾルシノール）、ｌ−ヒドロキシ−２−アミノベンゼン、（ｏ−アミノフェノール）、ｌ−ヒドロキシ−３−アミノベンゼン（ｍ−アミノフェノール）、ｌ−ヒドロキシ−４−アミノ−ベンゼン（ｐ−アミノフェノール）、１−ヒドロキシナフタレン（１−ナフトール）、１，５−ジヒドロキシナフタレン（１，５−ナフタレンジオール）、２，７−ジヒドロキシナフタレン（２，７−ナフタレンジオール）、１，４−ジヒドロキシベンゼン（ヒドロキノン）、ｌ−ヒドロキシ−４−メチルアミノベンゼン（ｐ−メチルアミノフェノール）、６−ヒド［γ］オキシベンゾ−モ［φ］ホリン（ヒドロキシベンゾモルホリン）、１−メチル−２−ヒドロキシ−４−アミノベンゼン（４−アミノ−２−ヒドロキシ−トルエン）、１−メチル−２−ヒドロキシ−４−（２’−ヒドロキシエチル）アミノベンゼン（２−メチル−５−ヒドロキシ−エチルアミノ−フェノール）、１，２，４−トリヒドロキシベンゼン（１，２，４−トリヒドロキシベンゼン）、１−フェノール−３−メチルピラゾール−５−オン（フェニルメチルピラゾールオン）、１−（２’−ヒドロキシエチルオキシ）−２，４−ジアミノベンゼン（２，４−ジアミノフェノキシ−エタノールＨＣＬ）、ｌ−ヒドロキシ−３−アミノ２，４−ジクロロベンゼン（３−アミノ−２，４−ジクロロ−フェノール）、１，３−ジヒドロキシ−２−メチルベンゼン（４−メチルレゾルシノール）、１−アミノ−４−ビス−（２’−ヒドロキシエチル）アミノベンゼン（Ｎ，Ｎ−ビス（２−ヒドロキシ−エチル）−ｐ−フェニレン−ジアミン）、２，４，５，６−テトラアミノピリミジン（ＨＣレッド１６）、ｌ−ヒドロキシ−３−メチル−４−アミノベンゼン（４−アミノ−ｍ−クレゾール）、ｌ−ヒドロキシ−２−アミノ−５−メチルベンゼン（６−アミノ−ｍ−クレゾール）、１，３−ビス−（２，４−ジアミノフェノキシ）プロパン（１，３−ビス−（２，４−ジアミノ−フェノキシ）−プロパン）、１−（２’−ヒドロキシエチル）−２，５−ジアミノベンゼン（ヒドロキシエチル−ｐ−フェニレンジアミンサルフェート）、ｌ−メトキシ−２−アミノ−４−（２’−ヒドロキシエチルアミノ）ベンゼン、（２−アミノ−４−ヒドロキシエチルアミノアニソール）、ｌ−ヒドロキシ−２−メチル−５−アミノ−６−クロロベンゼン（５−アミノ−６−クロロ−ｏ−クレゾール）、ｌ−ヒドロキシ−２−アミノ−６−メチルベンゼン（６−アミノ−ｍ−クレゾール）、１−（２’−ヒドロキシエチル）−アミノ−３，４−メチレンジオキシベンゼン（ヒドロキシエチル−３，４−メチレンジオキシ−アニリンＨＣｌ）、２，６−ジヒドロキシ−３，４−ジメチルピリジン（２，６−ジヒドロキシ−３，４−ジメチルピリジン）、３，５−ジアミノ−２，６−ジメトキシピリジン（２，６−ジメトキシ−３，５−ピリジンジアミン）、５，６−ジヒドロキシインドール（５，６−ジヒドロキシ−インドール）、４−アミノ−２−アミノメチルフェノール（２−アミノエチル−ｐ−アミノ−フェノールＨＣｌ）、２，４−ジアミノ−５−メチルフェネトール（２，４−ジアミノ−５−メチル−フェネトールＨＣｌ）、２，４−ジアミノ−５−（２’−ヒドロキシエチルオキシ）トルエン（２，４−ジアミノ−５−メチルフェノキシエタノールＨＣｌ）、５−アミノ−４−クロロ−２−メチルフェノール（５−アミノ−４−クロロ−０−クレゾール）、１，３−ビス（Ｎ（２−ヒドロキシエチル）Ｎ（４−アミノ−フェニル）アミノ）−２−プロパノール（ヒドロキシプロピル−ビス−（Ｎ−ヒドロキシ−エチル−ｐ−フェニレンジアミン）ＨＣＬ）、６−ヒドロキシインドール（６−ヒドロキシ−インドール）、２，３−インドリンジオン（イサチン）、３−アミノ−２−メチルアミノ−６−メトキシピリジン（ＨＣブルーＮＯ．７）、ｌ−フェニルｌ−３−メチル−５−ピラゾロン（２，４−ジヒドロ−５−メチル−２−フェニル−３Ｈ−ピラゾール−３−オン）、２−アミノ−３−ヒドロキシピリジン（２−アミノ−３−ヒドロキシピリジン）、５−アミノ−サリチル酸、１−メチル−２，６−ビス（２−ヒドロキシ−エチルアミノ）ベンゼン（２，６−ヒドロキシエチルアミノ−トルエン）、４−ヒドロキシ−２，５，６−トリアミノピリミジン（２，５，６−トリアミノ−４−ピリミジノールサルフェート）、２，２’−［１，２−エタンジイル−ビス−（オキシ−２，１−エタンジイルオキシ）］−ビス−ベンゼン−１，４−ジアミン（ＰＥＧ−３，２’，２’−ジ−ｐ−フェニレンジアミン）、５，６−ジヒドロキシインドリン（ジヒドロキシインドリン）、Ｎ，Ｎ−ジメチル−３−ウレイドアニリン（ｍ−ジメチル−アミノ−フェニル尿素）、２，４−ジアミノ−５−ヌオロトルエンサルフェート水和物（４−フルオロ−６−メチル−ｍ−フェニレンジアミンサルフェート）、１−アセトキシ−２−メチルナフタレン（１−ヒドロキシイエチル−４，５−ジアミノピラゾールサルフェート）、１−アセトキシ−２−メチルナフタレン（２−メチル−１−ナフトール）、２−アミノ−５−エチルフェノール（２−アミノ−５−エチルフェノール）、２，４−ジクロロ−３−アミノフェノール（３−アミノ−２．４−ジクロロフェノール）、及びｐ−アニリン−アニリン（Ｎ−フェニル−Ｐ−フェニレンジアミン）である。
【００４６】
染毛剤組成物は、適合性のある直接染料も、着色をもたらすのに十分な量で（特に強度の観点で）含んでもよい。典型的には、そのような量は、色調剤組成物などの下位成分の染毛剤組成物の約０．０５重量％〜約４重量％の範囲である。
【実施例】
【００４７】
本発明の特定の実施形態を例示及び説明したが、本発明の趣旨及び範囲から逸脱することなく他の様々な変更及び修正が加えられてもよいことは当業者には明白であろう。したがって、本発明の範囲内にあるすべてのそのような変更及び修正を添付の特許請求の範囲において網羅するよう意図されている。
【００４８】
実施例Ａ：約１１のｐＨのＭＥＡを含むアルカリ性組成物における香料成分の安定性
【００４９】
【表１】
2017508848.tif 000002
【００５０】
実施例１〜６：硬質面クリーナ組成物
実施例１〜６は、硬質面クリーナ組成物である。これらの組成物は安定しており、良好な洗浄性能、表面に良好な光沢をもたらし、洗浄される表面の表面安全性を維持する。
【００５１】
実施例１〜４の組成物は、硬質面を洗浄するのに好適な噴霧可能な組成物である。組成物５及び６は、例えばスプレーにおいて使用される前に典型的には約１５倍希釈された濃縮組成物である。
【００５２】
組成物１〜６を、成分を混合することによって調製する。
【００５３】
【表２】
2017508848.tif 000003
（１）Ｍｉｔｓｕｉ  Ｃｈｅｍｉｃａｌｓ  Ｉｎｃ．／モノエタノールアミン
（２）低い割合のエステル、α，β−不飽和アルデヒド、及びα，β−不飽和ケトンを含む香料配合物
【００５４】
実施例７（Ａ〜Ｃ）：酸化染毛剤色調剤組成物
【００５５】
【表３】
2017508848.tif 000004
（１）Ｈｕｎｔｓｍａｎ  Ｃｏｒｐｏｒａｔｉｏｎにより供給されたもの
（２）低い割合のエステル、α，β−不飽和アルデヒド、及びα，β−不飽和ケトンを含む香料配合物
【００５６】
実施例７（Ａ〜Ｃ）の組成物を、水中で過酸化水素の溶液（４．５ｗ／ｗ％）を含む顕色剤組成物と１：１の重量比で混合して、酸化染毛剤混合物を形成することができる。結果として得られた混合物を発泡装置容器に導入し、許容可能な質の染毛発泡体として分注することができる。
【００５７】
実施例８：単位用量組成物
【００５８】
【表４】
2017508848.tif 000005
（１）Ｍｉｔｓｕｉ  Ｃｈｅｍｉｃａｌｓ  Ｉｎｃ．／モノエタノールアミン
（２）低い割合のエステル、α，β−不飽和アルデヒド、及びα，β−不飽和ケトンを含む香料配合物
【００５９】
実施例９〜１０：強力液体洗濯洗剤組成物
【００６０】
【表５】
2017508848.tif 000006
（１）Ｍｉｔｓｕｉ  Ｃｈｅｍｉｃａｌｓ  Ｉｎｃ．／モノエタノールアミン
（２）低い割合のエステル、α，β−不飽和アルデヒド、及びα，β−不飽和ケトンを含む香料配合物
【００６１】
実施例１１：本発明による香料組成物
【００６２】
【表６】
2017508848.tif 000007
【００６３】
本組成物は、いかなるエステル官能基も含まず、いかなるα，β−不飽和アルデヒド官能基も含まず、かつ／又はいかなるα，β−不飽和ケトン官能基も含まない香料原材料を約９０％含む。
【００６４】
*この実施例において、この香料原材料が２つ以上の官能基を含む場合、エステル、アルデヒドケトン官能基、次いでテルペン官能基を優先した。
【００６５】
本明細書で開示される寸法及び値は、列挙される正確な数値に厳密に限定されるとして理解されるべきではない。むしろ、別途記載のない限り、そのような各寸法は、列挙される値及びその値前後の機能的に同等の範囲の両方を意味するよう意図されている。例えば、「４０ｍｍ」として開示されている寸法は、「約４０ｍｍ」を意味するよう意図されている。
【国際調査報告】
2017508848.tif 000008
2017508848.tif 000009
2017508848.tif 000010
2017508848.tif 000011